(57)【要約】【課題】発熱量を抑制し、ショーケースに陳列された商品を効率的に照明することができる照明装置を提供すること。【解決手段】ＬＥＤユニットと、ＬＥＤユニットから出射され、一端面から入射された光を一側面に設けた反射部で反射させる導光板３と、導光板３の反射部に密着し、反射部で反射された光をさらに一側面に対向する他側面に反射させる反射シート４とを備えた照明装置において、反射部は、一端面から入射される光の入射方向と平行に形成された溝３１ａであって、反射シート４は、光を拡散反射させる微細な凹凸４ａを表面に形成するようにした。【選択図】        図４
2009176532.tif 000002
【特許請求の範囲】
【請求項１】
光源と、光源から出射され、一端面から入射された光を一側面に設けた反射部で反射させる導光部材と、導光部材の反射部に密着し、反射部で反射された光をさらに一側面に対向する他側面に反射させる反射シートとを備えた照明装置において、
前記反射部は、一端面から入射される光の入射方向と平行に形成された溝であって、
前記反射シートは、光を拡散反射させる微細な凹凸を表面に有したことを特徴とする照明装置。
【請求項２】
反射部で反射された光と反射シートでさらに反射された光とを所望の方向に照射するように、前記導光部材の他側面に傾斜面が形成されたことを特徴とする請求項１に記載の照明装置。
【請求項３】
前記傾斜面は、反射部で反射された光と反射シートでさらに反射された光とを所望の方向に照射する投光角を有するように形成されたことを特徴とする請求項２に記載の照明装置。
【請求項４】
前記溝は、前記導光部材の一端面近傍において粗であって、一端面から離反するにつれて密となるように複数形成されたことを特徴とする請求項１に記載の照明装置。
【請求項５】
前記導光部材の一端面に対向する他端面から光を入射させる光源をさらに備えたことを特徴とする請求項１に記載の照明装置。
【請求項６】
前記導光部材の一端面に対向する他端面に光を反射させる反射部材を備えたことを特徴とする請求項１に記載の照明装置。
【請求項７】
前記光源は、基準となる色調の光を出射する基準色出射光源と、基準となる色調を補う色調の光を出射する補色出射光源とを備えたことを特徴とする請求項１に記載の照明装置。
【請求項８】
前記光源は、前記基準色出射光源に接続され、基準となる色調の光の出力を調整する基準色出力調整手段と、前記補色出射光源に接続され、基準となる色調の光の出力を調整する補色出力調整手段とを備えたことを特徴とする請求項７に記載の照明装置。
【発明の詳細な説明】
【技術分野】
【０００１】
本発明は、照明装置に関するものであって、特に、ショーケースに配設され、ショーケースに陳列された商品の照明に好適な照明装置に関するものである。
【背景技術】
【０００２】
ショーケースに配設され、ショーケースに陳列された商品を照らすものとして、蛍光灯が広く知られている。蛍光灯は、反射板とともにショーケースに配設され、蛍光灯から照射された光と、蛍光灯から照射され、反射板で反射された光とがショーケースに陳列された商品を照明するようになっている。反射板は、反射効率を向上させ、より効率的に照らすべく、光反射率の高い樹脂薄板により構成し、光を乱反射させるようにしたものが提案されている（たとえば、特許文献１参照）。
【０００３】
【特許文献１】特開２００２−３９６７２号公報
【発明の開示】
【発明が解決しようとする課題】
【０００４】
しかしながら、蛍光灯は、光を照射するだけでなく、多量の熱を発熱するため、冷蔵された商品を照らす照明装置として必ずしも好ましいものとはいえない。
【０００５】
本発明は、上記実情に鑑みて、発熱量を抑制し、ショーケースに陳列された商品を効率的に照らすことができる照明装置を提供することを目的とする。
【課題を解決するための手段】
【０００６】
上記の目的を達成するために、本発明にかかる照明装置は、光源と、光源から出射され、一端面から入射された光を一側面に設けた反射部で反射させる導光部材と、導光部材の反射部に密着し、反射部で反射された光をさらに一側面に対向する他側面に反射させる反射シートとを備えた照明装置において、前記反射部は、一端面から入射される光の入射方向と平行に形成された溝であって、前記反射シートは、光を拡散反射させる微細な凹凸を表面に有したことを特徴とする。
【０００７】
また、本発明にかかる照明装置は、上記発明において、反射部で反射された光と反射シートでさらに反射された光とを所望の方向に照射するように、前記導光部材の他側面に傾斜面が形成されたことを特徴とする。
【０００８】
また、本発明にかかる照明装置は、上記発明において、前記傾斜面は、反射部で反射された光と反射シートでさらに反射された光とを所望の方向に照射する投光角を有するように形成されたことを特徴とする。
【０００９】
また、本発明にかかる照明装置は、上記発明において、前記溝は、前記導光部材の一端面近傍において粗であって、一端面から離反するにつれて密となるように複数形成されたことを特徴とする。
【００１０】
また、本発明にかかる照明装置は、上記発明において、前記導光部材の一端面に対向する他端面から光を入射させる光源をさらに備えたことを特徴とする。
【００１１】
また、本発明にかかる照明装置は、上記発明において、前記導光部材の一端面に対向する他端面に光を反射させる反射部材を備えたことを特徴とする。
【００１２】
また、本発明にかかる照明装置は、上記発明において、前記光源は、基準となる色調の光を出射する基準色出射光源と、基準となる色調を補う色調の光を出射する補色出射光源とを備えたことを特徴とする。
【００１３】
また、本発明にかかる照明装置は、上記発明において、前記光源は、前記基準色出射光源に接続され、基準となる色調の光の出力を調整する基準色出力調整手段と、前記補色出射光源に接続され、基準となる色調の光の出力を調整する補色出力調整手段とを備えたことを特徴とする。
【発明の効果】
【００１４】
本発明にかかる照明装置は、光源と、光源から出射され、一端面から入射された光を一側面に設けた反射部で反射させる導光部材と、導光部材の反射部に密着し、反射部で反射された光をさらに一側面に対向する他側面に反射させる反射シートとを備えた照明装置において、反射部は、一端面から入射される光の入射方向と平行に形成された溝であって、反射シートは、光を拡散反射させる微細な凹凸を表面に有しているので、発熱量が抑制され、ショーケースに陳列された商品を効率的に照らすことができる。
【発明を実施するための最良の形態】
【００１５】
以下に添付図面を参照して、本発明にかかる照明装置の好適な実施の形態を詳細に説明する。なお、この実施の形態によりこの発明が限定されるものではない。
【００１６】
図１は本発明にかかる照明装置の実施の形態である照明装置を示す斜視図、図２は図１に示したＬＥＤユニットの構成を示す概念図、図３は図２に示したＬＥＤユニットの外表面の形状を示す概念図、図４は図１に示した照明装置のIV−IV断面図、図５は図２に示したＬＥＤユニットを制御するコントローラを示すブロック図である。
【００１７】
図１に示すように、本実施の形態である照明装置１は、一対のＬＥＤユニット（光源）２、導光板（導光部材）３、反射シート４（図４参照）、ステー５を有している。
【００１８】
一対のＬＥＤユニット２は、光源として機能するものであって、一方のＬＥＤユニット２と他方のＬＥＤユニット２とは、同一の形状及び構造を有している。ＬＥＤユニット２は、図２に示すように、ケース２１にＬＥＤ基板（プリント基板）２２を収容したものである。ケース２１は、放熱性を考慮してアルミによって作成され、側方が開口した箱状を呈しており、ケース２１にＬＥＤ基板２２を収容した状態で、導光板３及び反射シート４を収容したステー５が嵌合するようになっている。また、図３に示すように、ケース２１の開口に対して反対側となる外表面には、矩形の凹部２１ａを複数形成することによりフィンが構成されており、ＬＥＤユニット２に熱がこもらないようになっている。
【００１９】
ＬＥＤユニット基板２２は、供給された電力によって発光し、光を出射するように構成したもので、図２に示すように、導光板３に対向する面には、光を反射させる反射部材２３を貼着等するとともに、三つの白色ＬＥＤ（Light-emitting diode）２４が横方向一列に配設してある。これらの白色ＬＥＤ２４は、半球形状を呈しており、基準となる色調（白色）の光を出射する基準色出射光源を構成するようになっている。また、三つの白色ＬＥＤ２４のうち中央に位置する白色ＬＥＤ２４を囲むように、四つの赤色ＬＥＤ２５が長方形の頂点をなすように配設してある。赤色ＬＥＤ２５は、基準となる色調を補う色調（赤色）の光を出射する補色出射光源を構成するようになっている。したがって、白色ＬＥＤ２４のみから光を出射させた場合には青みを帯びた光が導光板３に入射され、白色ＬＥＤ２４と赤色ＬＥＤ２５とから光を出射させた場合には赤みを帯びた光が導光板３に入射されることになる。
【００２０】
ケース２１に収容されたＬＥＤ基板２２は、ネジ止めされることによって、ケース２１に取り付けられ、シリコン系樹脂（図示せず）によって封止されている。
【００２１】
導光板３は、一端面から入射された光を反射させることにより、側面から照射させるものであって、アクリル系の透明な材料で構成してある。導光板３は、図４に示すように、偏平な矩形断面を有する板状体であって、反射シート４が密着する一側面（上面）３ａに反射部３１が形成してある。反射部３１は、一端面から入射させる光の入射方向と平行に形成した溝３１ａであって、左右の両端面近傍において粗であって、両端面から中央に向かうにつれて密となるように、複数形成してある。すなわち、左右両端面近傍では溝３１ａの数を少数とし、両端面から中央に向かうにつれて密となるように順次溝３１ａの数を増やし、中央で溝３１ａの数が多数となるように形成してある。この溝３１ａは、レーザー加工により形成したものでよく、溝３１ａを形成する斜面を鏡面にする必要はない。むしろ、規則性を有する粗面であって、効率よく光が反射するように形成されていることが好ましい。
【００２２】
反射シート４は、導光板３に形成された反射部３１で反射された光をさらに一側面（上面）３ａに対向する他側面（下面）３ｂに反射（鏡面反射および拡散反射）させるものであって、白色のＰＥＴ（Polyethylene Terephthalate）により構成してある。反射シート４は、図４に示すように、導光板３の一側面（上面）とその両側面とを覆うものであって、断面コの字状に折り曲げて形成してある。
【００２３】
反射シート４は、その表面に微細な凹凸４ａを有し、反射部３１で反射された光を拡散反射させるようになっている。すなわち、反射シート４は、反射部３１で反射された光を鏡面反射させるのみならず、拡散反射するようになっている。このような反射シート４は、たとえば、炭酸ガスを用いてＰＥＴ樹脂を発泡させたものであり、反射シート４の表面に構成された気泡が微細な凹凸４ａを構成することになる。
【００２４】
ステー５は、反射シート４を密着させた導光板３を収容し、端部に上述したＬＥＤユニット２が嵌合されるものであって、放熱性を考慮してアルミによって作成されている。ステー５は、断面が略コの字状となるように形成してあり、反射シート４と導光板３とを収容した状態で、ステー下面５ａと導光板３の他側面（下面）３ｂとが面一となるようになっている。また、ステー５は、反射シート４と導光板３とを収容した状態で、導光板３の側方に空隙５１を画成するようになっている。
【００２５】
このように構成された照明装置１のＬＥＤユニット２は、図５に示すように、ＬＥＤコントローラ６に接続されている。ＬＥＤコントローラ６は、ＬＥＤユニット２を制御するものであり、一のＬＥＤコントローラ６で１０のＬＥＤユニット２を制御できるようになっている。したがって、上述した実施の形態である照明装置１は、一対のＬＥＤユニット２で一の照明装置１を構成するので、一のＬＥＤコントローラ６で５の照明装置１を制御できることになる。
【００２６】
ＬＥＤコントローラ６は、主制御部（ＣＰＵ及びメモリ）６１のほか、Ｄ／Ｄコンバータ６２、白色用ＬＥＤドライバ６３ａ及び赤色用ＬＥＤドライバ６３ｂ、アナログ入力６４、通信Ｉ／Ｆ６５を備えている。そして、Ｄ／Ｄ６２から供給された直流電源は、主制御部６１のほか、白色用ＬＥＤドライバ６３ａ及び赤色ＬＥＤドライバ６３ｂに供給されるようになっている。
【００２７】
主制御部６１には、白色ＬＥＤ２４の出力を調整するボリューム（図示せず）と、赤色ＬＥＤ２５の出力を調整するボリューム（図示せず）とが接続してあり、これらボリュームによって設定された値に基づいて、白色用ＬＥＤドライバ（基準色出力調整手段）６３ａ及び赤色用ＬＥＤドライバ（補助色出力調整手段）６３ｂを制御するようになっている。
【００２８】
白色用ＬＥＤドライバ６３ａ及び赤色用ＬＥＤドライバ６３ｂは、ＬＥＤユニット２に接続され、白色ＬＥＤ２４及び赤色ＬＥＤ２５に供給する電力を制御するようになっている。
【００２９】
アナログ入力６４には、温度センサ７が接続可能であって、接続された温度センサ７からの入力によりＬＥＤ２４，２５に流れる電力の制御が可能となっている。例えば、高周囲温度下においてＬＥＤ２４，２５が使用される場合には通電電流規制を行うことにより、ＬＥＤ２４，２５の過熱防止、長寿命化が可能なる。
【００３０】
通信Ｉ／Ｆ６５には、外部装置（ＬＥＤコントローラ６、パソコン８）が接続可能であって、例えば、図６−１に示すように、パソコン８が接続された場合には、複数のＬＥＤコントローラ６がパソコン８によって制御されることになる（外部コントロールモード）。すなわち、パソコン８から設定された値が主制御部６１に接続されたボリュームから設定された値に優先して、白色用ＬＥＤドライバ（基準色出力調整手段）６３ａ及び赤色用ＬＥＤドライバ（補助色出力調整手段）６３ｂが制御されることになる。
【００３１】
また、図６−２に示すように、一のＬＥＤコントローラ６をマスターに設定するとともに他のＬＥＤコントローラ６をスレーブに設定し、順次接続した場合には、マスターとなるＬＥＤコントローラ６によってスレーブとなるＬＥＤコントローラ６が制御されることになる（マスター／スレーブモード）。すなわち、マスターとなるＬＥＤコントローラ６においてボリュームによって設定された値が自身の主制御部６１に接続されたボリュームから設定された値に優先して、白色用ＬＥＤドライバ（基準色出力調整手段）６３ａ及び赤色用ＬＥＤドライバ（補助色出力調整手段）６３ｂが制御されることになる。
【００３２】
また、図６−３に示すように、複数のＬＥＤコントローラ６をそれぞれ接続しない場合には、個々のＬＥＤコントローラ６が自身を制御することになる（単独動作モード）。すなわち、ＬＥＤコントローラ６は、主制御部６１に接続されたボリュームによって設定された値によって、白色用ＬＥＤドライバ（基準色出力調整手段）６３ａ及び赤色用ＬＥＤドライバ（補助色出力調整手段）６３ｂが制御されることになる。
【００３３】
上述した実施の形態である照明装置１は、ＬＥＤコントローラ６によって制御され、白色用ＬＥＤドライバ６３ａ及び赤色用ＬＥＤドライバ６３ｂから供給された電力によって、白色ＬＥＤ２４及び赤色ＬＥＤ２５から光が出射されることになる。白色ＬＥＤ２４及び赤色ＬＥＤ２５から入射した光は、導光板３に設けられた反射部（溝３１ａ）３１により反射され、他側面（下面）３ｂから直接照射され、あるいは反射シート４（凹凸４ａ）を介して照射される。
【００３４】
本実施の形態である照明装置１の反射シート４は、光を拡散反射させる微細な凹凸４ａを表面に有しているので、反射シート４において鏡面反射されるのみならず、拡散反射される。したがって、照明装置の発熱量が抑制できるので、ショーケースに陳列された商品を効率的に照らすことができる。
【００３５】
また、本実施の形態である照明装置１の導光板３の反射部３１は、一端面から入射される光の入射方向と平行に形成した溝３１ａで構成する。この溝３１ａは、レーザー加工により形成したものでよく、溝３１ａを形成する斜面を鏡面にする必要がない。したがって、導光板３に要するコストを低減することになり、安価な照明装置１を提供することができる。
【００３６】
また、導光板３の両端面近傍において粗であって、両端面から中央に向かうにつれて密となるように溝３１ａを複数形成したので、導光板３の他側面（下面）３ｂから均等に光を照射する。
【００３７】
また、光源は、青みがかった白色光を出射する白色ＬＥＤ２４と、赤色光を出射する赤色ＬＥＤ２５とにより構成したので、所望の色調の光を導光板３に入射させることができる。したがって、この照明装置１をショーケース（図示せず）に適用した場合には、肉類を対象とする赤みを帯びた色調の光を照射することもできれば、魚類を対象とする青みを帯びた色調の光を照射することもできる。
【００３８】
さらに、白色用ＬＥＤドライバ６３ａ及び赤色用ＬＥＤドライバ６３ｂを用いることによって、所望の色調の光を導光板３に入射させることもできる。
【００３９】
加えて、通信Ｉ／Ｆ６５を有効に用いれば、複数のＬＥＤコントローラ６を一つの外部装置（例えば、パソコン８）で設定することもできれば、複数のＬＥＤコントローラ６の設定を一つのＬＥＤコントローラ６の設定で済ませることもできる。
【００４０】
上述した実施の形態である照明装置１は、導光板３の両端にＬＥＤユニット（光源）２を配設することとしたが、一方にのみＬＥＤユニット（光源）２を配設し、他方には、光を反射させる反射部材を配設することとしても良い。
【００４１】
また、反射シート４は、導光板の一側面（上面）とその両側面とを覆うものとしたが両側面を必ずしも覆う必要はなく、少なくとも導光板の一側面（上面）を覆うものであればよい。
【００４２】
さらに、導光板３は、偏平な矩形断面を有する板状体であって、反射シート４が密着する一側面（上面）３ａに反射部３１が形成してあるとしたが、図７に示すように、他側面（下面）３ｂに傾斜面３ｃが形成されたものであっても良い。傾斜面３ｃは、反射部３１で反射された光と反射シートでさらに反射された光とを所望の方向に照射するものである。換言すれば、傾斜面３ｃは、反射部３１で反射された光と反射シートでさらに反射された光とを所望の方向に照射する投光角θを有するように形成されている。なお、投光角θを有する傾斜面であれば良く、図７に示すように、他側面（下面）３ｂから凹むように形成したものに限らず、他側面（下面）３ｂから凸むように形成したものであっても良い。
【産業上の利用可能性】
【００４３】
以上のように、本発明にかかる照明装置は、所望の色調の光を照射する照明装置に有用であって、ショーケースのほか、自動販売機にも適用可能である。
【図面の簡単な説明】
【００４４】
【図１】本発明にかかる照明装置の実施の形態である照明装置を示す斜視図である。
【図２】図１に示したＬＥＤユニットの構成を示す概念図である。
【図３】図２に示したＬＥＤユニットの外表面の形状を示す概念図である。
【図４】図１に示した照明装置のIV−IV断面図である。
【図５】図２に示したＬＥＤユニットを制御するコントローラを示すブロック図である。
【図６−１】外部装置からの入力により、複数のコントローラの設定を行う外部コントロールモードを示すブロック図である。
【図６−２】スレーブとなるコントローラの設定をマスターとなるコントローラの設定と同一の設定とするマスター／スレーブモードを示すブロック図である。
【図６−３】複数のコントローラの設定をそれぞれ単独で行う単独動作モードを示すブロック図である。
【図７】他の形状を有した導光板を適用した照明装置を示す断面図である。
【符号の説明】
【００４５】
１    照明装置
２    ＬＥＤユニット（光源）
２１    ケース
２１ａ    凹部
２２    ＬＥＤ基板
２３    反射部材
２４    白色ＬＥＤ（基準色出射光源）
２５    赤色ＬＥＤ（補色出射光源）
３    導光板（導光部材）
３ａ    一側面（上面）
３ｂ    他側面（下面）
３ｃ    傾斜面
θ    投光角
３１    反射部
３１ａ    溝
４    反射シート
４ａ  凹凸
５    ステー
５ａ    ステー下面
５１    空隙
６    コントローラ
６１    主制御部
６２    Ｄ／Ｄコンバータ
６３ａ    白色用ＬＥＤドライバ（基準色出力調整手段）
６３ｂ    赤色用ＬＥＤドライバ（基準色出力調整手段）
６４    アナログ入力
６５    通信Ｉ／Ｆ
７    温度センサ
８    パソコン
【図１】
2009176532.tif 000003
【図２】
2009176532.tif 000004
【図３】
2009176532.tif 000005
【図４】
2009176532.tif 000006
【図５】
2009176532.tif 000007
【図６−１】
2009176532.tif 000008
【図６−２】
2009176532.tif 000009
【図６−３】
2009176532.tif 000010
【図７】
2009176532.tif 000011